Podtech/llm-jp-corpus-v4-ja_patent huggingface dataset:
(57)【要約】      （修正有）【課題】身体に接触する面に季節や環境に適した機能を有する綿やシートをキルティングした布団カバーを提供する。【解決手段】寒い季節や環境において身体に接触する面に人の汗などの水分を吸収し発熱する吸湿発熱綿を封入しキルティング２ａし、また暑い季節や環境には身体に接触する面に冷感シートや熱伝導率の高い素材を使用しキルティング３ａし、そして気温変化の見極めが難しい春や秋は身体に接触する面に温度調整綿を封入４ａし、さらに高温多湿な季節や環境においては吸湿放湿性素材を封入５ａする。【選択図】図１
0003225342.tif 000002
【実用新案登録請求の範囲】
【請求項１】
布団を包被する矩形の袋状のカバーで、身体に接触する面に吸湿発熱綿またはシートを封入しキルティングを施した表裏のシート部２ａ、２ｂからなり、カバーの端縁から側縁に延びるＩ字状開口に開閉自在のファスナー１１を両側に取付けた布団カバー。
【請求項２】
布団を包被する矩形の袋状のカバーで、身体に接触する面に冷感シートを封入しキルティングを施した表裏のシート部３ａ、２ｂからなり、カバーの端縁から側縁に延びるＩ字状開口に開閉自在のファスナーを両側に取付けた布団カバー。
【請求項３】
布団を包被する矩形の袋状のカバーで、身体に接触する面に温度調整綿またはシートを封入しキルティングを施した表裏のシート部４ａ、２ｂからなり、カバーの端縁から側縁に延びるＩ字状開口に開閉自在のファスナーを両側に取付けた布団カバー。
【請求項４】
布団を包被する矩形の袋状のカバーで、身体に接触する面に吸湿放湿綿またはシートを封入しキルティングを施した表裏のシート部５ａ、２ｂからなり、カバーの端縁から側縁に延びるＩ字状開口に開閉自在のファスナーを両側に取付けた布団カバー。
【考案の詳細な説明】
【技術分野】
【０００１】  本考案は、季節や環境に応じて快適に眠ることが出来る布団カバーに関する。
【背景技術】
【０００２】  従来の布団カバーは布団に装着することにより布団を汚れから守るものであった。技術の進歩により季節や環境に応じた寝具、例えば夏用寝具として触るとひんやりする接触冷感生地や持続冷感シート、冬用寝具として人からでる汗などの水分を吸収して発熱する吸湿発熱素材、ある一定の温度に維持しようとすることができる温度調整素材、湿気を吸ったり吐いたりして湿度を快適な状態に保つ吸湿放湿性素材などさまざまな機能素材が開発され市場に出てきた。
【考案の概要】
【考案が解決しようとする課題】
【０００３】  そこで、この考案の課題は、布団カバーの身体に接触する面に季節や環境に適した機能綿や機能シートをキルティングした布団カバーを提供することを課題とする。
【課題を解決するための手段】
【０００４】  上記課題を解決するため、寒い季節や環境において身体に接触する面に人の汗などの水分を吸収し発熱する吸湿発熱綿を封入しキルティングした布団カバーを提供する。また暑い季節や環境において身体に接触する面に冷感シートや熱伝導率の高い素材を使用しキルティングした布団カバーを提供する。そして気温変化の見極めが難しい春や秋は身体に接触する面に温度調整綿を封入した布団カバーが適している。さらに高温多湿な季節や環境においては吸湿放湿性素材を封入してさらっとドライで快適なキルティング布団カバーを提供する。
【考案の効果】
【０００５】日本の地域の気候や環境はさまざまで、夏季の暑さや湿気などによる不快感、そして冬季の寒さを解消し快適な睡眠環境を提供するものである。
【図面の簡単な説明】
【図１】この考案の実施例を示す掛け布団カバー裏面の上視図
【図２】この考案の実施例を示す掛け布団カバー表面の上視図
【図３】この考案のカバーの実例を示す横断面図
【考案を実施するための形態】
【０００６】以下、本考案の布団カバーの実施例を図面に基づいて説明する。
【実施例】
【００７】布団カバーの身体接触面は吸湿発熱綿、冷感シート、温度調整綿、吸放湿性綿などの機能綿を封入し、かつキルティングを施し周縁を縫合したシートによって矩形状平袋を形成したものであって端縁から側縁にＩ字状開口が設けられ開口を開閉するファスナーが装着されている。【００８】前記に封入される中綿量は５０ｇ／ｍ２〜４５０ｇ／ｍ２程度の吸湿発熱綿、冷感シート、温度調整綿、吸放湿性綿或いは抗菌防臭綿、防ダニ綿などの機能綿を混合した綿およびシートにより成る。
【産業上の利用可能性】
【００９】本考案の布団カバーは、日本の暑さ寒さ湿気など多様な気候環境に対して適応可能であり、また布団からの脱着が容易でかつ洗濯も容易である。
【符号の説明】１    掛け布団カバー表側
２ａ  掛け布団カバー裏側身体接触面（吸湿発熱綿入りキルティングシート）
２ｂ  掛け布団カバー裏側中側
３ａ  掛け布団カバー裏側身体接触面（冷感シート入りキルティングシート）
４ａ  掛け布団カバー裏側身体接触面（温度調整綿入りキルティングシート）
５ａ  掛け布団カバー裏側身体接触面（吸放湿性綿入りキルティングシート）
１１  ファスナー
【図１】
0003225342.tif 000003
【図２】
0003225342.tif 000004
【図３】
0003225342.tif 000005
(57)【要約】      （修正有）【課題】ＬＥＤ灯の多数の発光体ＬＥＤを全点灯させる装置を灯具に取り付け、ＬＥＤ灯を個別に一目瞭然で点灯確認ができる合理的で安価なＬＥＤ灯点検用押釦スイッチを提供する。【解決手段】複数の発光体ＬＥＤを全点灯させる装置をスイッチ１を介して灯具に取り付けた。【選択図】図１
0003225386.tif 000002
【実用新案登録請求の範囲】
【請求項１】
灯具を目視出来る所に設置したＬＥＤ灯点検用押釦スイッチ
【考案の詳細な説明】
【技術分野】
【０００１】車両等の白熱電球保安灯には点灯確認のための各種チェッカーや鏡などが従来用いられているがＬＥＤで構成される保安灯にも点灯確認が求められる。
【背景技術】
【０００２】ＬＥＤ灯は数多くのＬＥＤ発光体で構成されており従来の白熱電球用ランプチェカーでは一個単位のＬＥＤ発光体の不具合チェックは困難である。
【考案の概要】
【考案が解決しようとする課題】
【０００３】複数のＬＥＤで構成されたＬＥＤ灯のＬＥＤ各個毎のチェックをする電気回路を構成する事は煩雑で高価な装置になり商用に適さない。また現在の車両の仕様で点検するには２人の人手が必要。
【課題を解決しょうとする手段】
【０００４】    ＬＥＤ灯の多数の発光体ＬＥＤを全点灯させる装置を灯具に取り付け、ＬＥＤ灯を個別に一目瞭然で点灯確認ができる合理的で安価なスイッチを介して目視検査を行う
【考案の効果】
【０００５】安価で確実な装置の設置でＬＥＤ灯の全ＬＥＤが目視によって各個毎に個別的に発光し照度も完璧である検査が一人で出来かつ確実に点検出来る
【図面の簡単な説明】
【０００６】
【図１】は本実用新案の構成を表わす図である
【符号の説明】
【０００７】（１）ＬＥＤ灯用点検スイッチ
（２）ＬＥＤ灯
（３）抵抗
（４）ＬＥＤ
（５）アース
（６）ＬＥＤが集合体である事を示し
（７）電源
【図１】
0003225386.tif 000003
【手続補正書】
【提出日】令和1年12月12日(2019.12.12)
【手続補正１】
【補正対象書類名】実用新案登録請求の範囲
【補正対象項目名】全文
【補正方法】変更
【補正の内容】
【実用新案登録請求の範囲】
【請求項１】
複数の発光体ＬＥＤを全点灯させる装置をスイッチを介して灯具に取り付けたＬＥＤ灯点検用押釦スイッチ
(57)【要約】      （修正有）【課題】キャラクターの形をカットアウトした変形でも展開でき、両面を利用し企業ロゴや広告を入れて販売促進やイベントに使えるほか、キャラクター商品として販売できる顔を出すための窓のあるうちわを提供する。【解決手段】観光地にある顔はめ看板のように、写真やイラストの顔部分を切り抜いて顔を出すための窓が設けてある。【選択図】図１
0003225389.tif 000002
【実用新案登録請求の範囲】
【請求項１】
観光地にある顔はめ看板のように、写真やイラストの顔部分を切り抜いて顔を出すための窓が設けてあるうちわ。
【請求項２】
両面を利用し企業ロゴや広告を入れて販売促進やイベントに使えるほか、キャラクター商品として販売できる顔を出すための窓のあるうちわ。
【請求項３】
いわゆるうちわ型のほかキャラクターの形をカットアウトした変形でも展開できる顔を出すための窓のあるうちわ。
【考案の詳細な説明】
【技術分野】
【０００１】観光地にある顔はめ看板のように、写真やイラストの顔部分を切り抜いて顔を出すための窓が設けてあるうちわに関する。
【背景技術】
【０００２】観光地にある顔はめ看板のように、写真やイラストの顔部分を切り抜いて顔を出すための窓を設けてあり顔を出して写真撮影などで楽しむことができる看板がある。【０００３】うちわは気軽に持ち歩け、扇ぐことで涼を取ることができる。
また企業の販売促進やイベントにも重宝している。
【考案の概要】
【考案が解決しようとする課題】企業の販売促進などにも使え、インスタ映えのするような写真を取ることができ、写真をＳＮＳに投稿することができる楽しいうちわを提供したい。
【課題を解決するための手段】観光地にある顔はめ看板のように、写真やイラストの顔部分を切り抜いて顔を出すための窓を設けたうちわを提供することで解決の手段とする。
【考案の効果】うちわとして持ち歩け、扇ぐことで涼を取ることができる。
窓から顔を出して写真撮影などを楽しんだり、写真をＳＮＳに投稿することができ、両面を利用し企業ロゴや広告を入れて販売促進やイベントに使えるほか、キャラクター商品として販売もできる
顔を出すための窓が設けてあるうちわを提供できる。
顔の大きさに合わせた窓をレイアウトするためサイズは多少大きくなるが窓が空いているため適量の風を得ることができ、扇ぐ時の抵抗感が軽減できるうちわを提供できる。
【図面の簡単な説明】
【図１】  顔出し窓のあるうちわ  Ａ  印刷面  Ｂ  顔出し窓  Ｃ  グリップ
【図２】  顔出し窓のあるキャラクター変形うちわ  Ａ  印刷面  Ｂ  顔出し窓  Ｃ  グリップ
【図１】
0003225389.tif 000003
【図２】
0003225389.tif 000004
【手続補正書】
【提出日】令和1年12月9日(2019.12.9)
【手続補正１】
【補正対象書類名】実用新案登録請求の範囲
【補正対象項目名】請求項３
【補正方法】変更
【補正の内容】
【請求項３】
うちわの形や顔を出すための窓の形は、キャラクターに合わせて、幾何学パターンや自由曲線で構成した、顔を出すための
窓のあるうちわ。
(57)【要約】      （修正有）【課題】壁紙の張替施工時に既存の壁紙を剥がしやすくするための壁紙表面に貼り付ける剥離フィルムを提供する。【解決手段】壁紙の張替施工時に、既存の壁紙２を剥がしやすくするための剥離フィルムであって、剥離フィルムは、既存の壁紙２に張り付ける面に粘着性のあるフィルム、ビニール、又は紙３を備える。【選択図】図１
0003225384.tif 000002
【実用新案登録請求の範囲】
【請求項１】
壁紙の張替施工時に、既存の壁紙を剥がしやすくするために、壁紙表面に張り付ける片面に粘着性のあるフィルム、ビニール、紙
【考案の詳細な説明】
【技術分野】
【０００１】本考案は、壁紙張替施工時に既存壁紙を剥がしやすくするために壁紙表面に張り付けるフィルム、ビニール、紙
【背景技術】
【０００２】壁紙の張替施工には、既存の壁紙を剥がさなければならない。
だが、いつも簡単に既存壁紙を剥がせるとは限らない。【０００３】
【考案の概要】
【考案が解決しようとする課題】
【０００４】既存の壁紙を剥がすとき、経年した壁紙、劣化した壁紙、発泡系の壁紙などは強度、柔軟性が無くなり細かく破れてしまい一気に剥がすことが困難になる。そのような場合には、カッター、スクレイパーなどを使って地道に剥がすしかない。剥がしやすい既存壁紙に比べて、剥がしにくい壁紙は４〜５倍以上の時間、労力がかかることも度々ある。粘着性のあるフィルム、ビニール、紙を張り付けることにより、簡単に既存の壁紙を剥がすことが出来るようになる。
【課題を解決するための手段】
【０００５】上記の課題を解決するために、本考案は既存の壁紙の上から壁紙全体に、粘着性のあるフィルム、ビニール、紙を張り付け密着させ、既存の壁紙と一体化させ簡単に一気に剥がせるようになる。
【考案の効果】
【０００６】上述の様に既存壁紙に張り付けることにより、壁紙が小さく破れることなく一気に簡単に剥がすことが可能になる。それにより、作業時間の短縮、省力化が計られ、作業員の疲労も軽減される。
【図面の簡単な説明】
【０００７】
【図１】既存の壁紙の上に張り付けた状態の図
【考案を実施するための形態】
【０００８】既存の壁紙に張り付けるために、片面に粘着性のあるフィルム、ビニール、紙。また、既存の壁紙は、表面が平滑である物は少なく、凹凸がある物が普通であるので、十分な柔軟性と密着させるための薄さ、既存の壁紙との十分な接着力をそなえている。
【実施例】
【０００９】添付図面に従って実施例を説明する。１は壁面に施工された下地材。２は剥がす既存の壁紙。３は本考案の片面に粘着面のある薄いフィルム、ビニール、紙
【図１】
0003225384.tif 000003
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
壁紙の張替施工時に、全体の表面に張り付けることによって既存の壁紙等を一体化させ、既存の壁紙を剥がしやすくするための剥離フィルムであって、前期剥離フィルムは、既存の壁紙は張り付ける面に粘着性のあるフィルム、ビニール、又は紙を備える、剥離フィルム。
【手続補正書】
【提出日】令和1年12月12日(2019.12.12)
【手続補正１】
【補正対象書類名】実用新案登録請求の範囲
【補正対象項目名】全文
【補正方法】変更
【補正の内容】
【実用新案登録請求の範囲】
【請求項１】
壁紙の張替施工時に、既存の壁紙全体の表面に張り付けることによって既存の壁紙を一体化させ、既存の壁紙を剥がしやすくするための剥離フィルムであって、前記剥離フィルムは、既存の壁紙に張り付ける面に粘着性のあるフィルム、ビニール、又は紙を備える剥離フィルム。
(57)【要約】【課題】冷凍された商品が溶けたり、あるいは溶けた商品が固まるブロッキングを回避することができる選別台を提供する。【解決手段】選別台１１は、人工大理石製であり、矩形状の平板１２の縁部に沿って商品のこぼれ落ちを防止するための壁部１３が立設されると共に、壁部の一部には選別した商品を落下させるための開口部１４が形成される。【選択図】図１
0003225221.tif 000002
【実用新案登録請求の範囲】
【請求項１】
冷凍された商品の選別を行うための選別台であって、
該選別台は、人工大理石製であり、平板の縁部に沿って前記商品のこぼれ落ちを防止するための壁部が立設されると共に、該壁部の一部には選別した前記商品を落下させるための開口部が形成されること
を特徴とする選別台。
【請求項２】
前記壁部の高さは、８〜１０ｃｍの範囲であること
を特徴とする請求項１に記載の選別台。
【請求項３】
前記平板は、脚部の上に設置されること
を特徴とする請求項１に記載の選別台。
【考案の詳細な説明】
【技術分野】
【０００１】
本考案は、ＩＱＦ（Individuai Quick Flosen)凍結商品やパルプセル（柑橘類の搾汁粕）等の冷凍された商品の選別を行うための選別台に関するものである。
【背景技術】
【０００２】
従来の冷凍された商品の選別を行うための選別台としては、ステンレス製で平板状のものが使用されている。
そして、選別台の上に移された例えば急速冷凍コーン等の多量の商品を作業員の手によって一粒ごとに選別し、良品を下方に落として袋詰め作業を行っている。
【０００３】
本出願人は、冷凍された商品の選別を行うための選別台について、特許情報プラットフォームで、「選別台」「仕分台」等のキーワードや「Ｂ０７Ｃ  ７／００」「Ｂ０７Ｃ７／０４」「Ｂ２５Ｈ  １／００」のＩＰＣ（国際特許分類）を用いて特許、実用新案の先行技術の検索を試みたが、冷凍された商品の選別を行うための選別台についての出願例又は登録例は見当たらない。
【０００４】
なお、実開昭６０−６８９９４号公報には、葉たばこ選別台の考案が開示されており、（特許文献１参照）実用新案登録第３１６６２７０号公報には、サクランボ選別台の考案が開示されており（特許文献２参照）、実用新案登録第３０４３５６３号公報には、しそ等の葉の仕分台の考案が開示されており（特許文献３参照）、特開２００５−２９６６９４号公報には、魚類選別台の発明が開示されている（特許文献４参照）。
【先行技術文献】
【特許文献】
【０００５】
【特許文献１】実開昭６０−６８９９４号公報
【特許文献２】実用新案登録第３１６６２７０号公報
【特許文献３】実用新案登録第３０４３５６３号公報
【特許文献４】特開２００５−２９６６９４号公報
【考案の概要】
【考案が解決しようとする課題】
【０００６】
この従来例のステンレス製で平板状の選別台においては、周囲の温度に影響を受けてステンレス材の温度が上昇するため、その結果、冷凍された商品が溶けたり、いったん溶けた商品が固まるブロッキングが生じる等の問題点を有している。
【０００７】
従って、従来例における選別台においては、外からの温度の影響を受けないようにして、温度の上昇を防止し、冷凍された商品が溶けたり、溶けた商品が固まるブロッキングを回避することに解決しなければならない課題を有している。
【課題を解決するための手段】
【０００８】
前記従来例の課題を解決するための本考案の要旨は、冷凍された商品の選別を行うための選別台であって、該選別台は、人工大理石製であり、平板の縁部に沿って前記商品のこぼれ落ちを防止するための壁部が立設されると共に、該壁部の一部には選別した前記商品を落下させるための開口部が形成されることである。
【０００９】
また、前記壁部の高さは、８〜１０ｃｍの範囲であること、；
前記平板は、脚部の上に設置されること、；
を含むものである。
【考案の効果】
【００１０】
本考案に係る選別台によれば、周囲の温度の影響を受けにくく、温度の上昇が起こりにくい人工大理石製としたことによって、冷凍された商品が溶けたり、あるいは溶けた商品が固まるブロッキングを回避することができるという優れた効果を奏する。
【００１１】
壁部の高さは、８〜１０ｃｍの範囲であることによって、商品のこぼれ落ちを最適に防止することができるという優れた効果を奏する。つまり、この範囲よりも高いと壁部が破損するおそれがあり、また、この範囲よりも低いと商品のこぼれ落ちを防止する機能が低下するのである。
【００１２】
平板は、脚部の上に設置されることによって、脚部の高さを適宜に調整すれば、選別台の設置高さを変えることが可能であり、最適な作業高さに調整できるという優れた効果を奏する。
【図面の簡単な説明】
【００１３】
【図１】本考案に係る選別台の斜視図である。
【考案を実施するための形態】
【００１４】
次に、本考案の実施の形態について図面を参照しながら説明する。まず、図１において、符号１１は冷凍された商品の選別を行うための選別台を示し、この選別台１１は、人工大理石製であり、ほぼ矩形状の平板１２の縁部に沿って商品のこぼれ落ちを防止するための壁部１３が立設されると共に、壁部１３の一部には選別した商品を落下させるための開口部１４が形成される。
【００１５】
人工大理石製は、アクリル樹脂やポリエステル樹脂等の樹脂材を主成分とした人工素材であり、周囲の温度の影響を受けにくい点や加工性等を考慮すれば、米国デュポン社製のコーリアン（登録商標）であることが望ましい。
【００１６】
壁部１３は、平板１２の縁部に沿って立設しており、その高さは８〜１０ｃｍの範囲であり、特に商品のこぼれ落ちを最適に防止することができる高さは９ｃｍである。つまり、この範囲よりも高いと壁部が破損するおそれがあり、また、この範囲よりも低いと商品のこぼれ落ちを防止する機能が低下するのである。
【００１７】
開口部１４は、平板１２の一方の端部側に壁部１３を有しない状態で形成され、この開口部１４から選別した商品を落下させる。
【００１８】
また、平板１２の開口部１４へ近傍の部分は、開口部１４に行くにしたがって下方側に傾斜する傾斜部１５が形成されており、選別した商品を開口部１４から落下させるのに都合が良い形状になっている。
【００１９】
平板１２は、脚部１６の上に設置される。従って、脚部１６の高さを適宜に調整すれば、選別台１１の設置高さを変えることが可能であり、最適な作業高さに調整できることとなる。
【００２０】
以上のように構成される選別台１１は、周囲の温度の影響を受けにくく、温度の上昇が起こりにくい人工大理石製としたことによって、冷凍された商品が溶けたり、あるいは溶けた商品が固まるブロッキングを回避することができる。
【符号の説明】
【００２１】
１１  選別台
１２  平板
１３  壁部
１４  開口部
１５  傾斜部
１６  脚部
【図１】
0003225221.tif 000003
(57)【要約】      （修正有）【課題】建設分野等でレベル測量時に使用するバカ棒に簡単に取り付けが出来るロット状スケールを提供する。【解決手段】レベル測量等に使用するバカ棒５に簡単に取り付けられるように表面にメモリを印字し裏面にマグネットを接着したロッド状スケール、又はマグネット板の表面にメモリを印字したロッド状スケール。【選択図】図１
0003225225.tif 000002
【実用新案登録請求の範囲】
【請求項１】
レベル測量等に使用するバカ棒に簡単に取り付けられるように表面にメモリを印字し裏面にマグネットを接着したロット状スケール、又はマグネット板の表面にメモリを印字したロット状スケール。
【請求項２】
ロッド状スケールのメモリは長手方向の中央部に4方向に0のメモリを印字し。正面には中央部より上下方向にメモリが判別しやすいようミリ単位のメモリとセンチ単位の少し長いメモリ10ｃｍ単位に長いメモリと上下方向に違うフォントか違う色で印字する。
【考案の詳細な説明】
【技術分野】
【０００１】
本考案は建設分野等でレベル測量時に使用するバカ棒に簡単に取り付が出来るロッド状スケールの形状に関する。
【背景技術】
【０００２】
従来のレベル測量時には目盛のついていない金属や木製のバカ棒使用しバカ棒に直接測量高さを記載し計算や計測にて高さを判断している。
【０００３】
従来の測量時に使用する目盛のついた棒（スタッフ、箱尺、標尺）の目盛は棒に直接印刷するか棒に固定されている
【０００４】
従来の測量時に使用する目盛のついた棒（スタッフ、箱尺、標尺）は目盛が両端又は中央から直接印刷するか棒に固定されている。
【先行技術文献】
【特許文献】
【０００５】
【特許文献１】実用新案第３０１６００７号公報
【特許文献２】実開昭６０−１６９５１１号公報
【特許文献３】実用新案第３１５４０８７号公報
【特許文献４】実開昭６１−１６７５１５号公報
【特許文献５】実開昭６１−１４３１０号公報
【特許文献６】特開昭５７−２３８０１号公報
【考案の概要】
【考案が解決しようとする課題】
【０００６】
レベル測量時に目盛のついていない金属や木製のバカ棒使用しバカ棒に直接測量高さを記載し計算や計測にて高さを判断する場合はむだな時間と計測ミスを発生させる恐れが有る。また目盛のついた棒（スタッフ、箱尺、標尺）を使用した場合も測量後の計算が必要でプラスマイナスの計算でミスをする可能性がある。
【課題を解決するための手段】
【０００７】
本考案は、目盛の付いていない図1の５の金属や木製のバカ棒にレベル測量に適した目盛を印字した図１の１本体を図１の正面図、図２の側面図、背面図のように取付けて個々の測量現場に最も適したスケール付きバカ棒を簡単に製作する手段である。
【０００８】
図１の１の本体を取り付ける方法は、まず測量する基準高さを図２の側面図のようにバカ棒に７基準点高さを記載する。図１及び図２の１の本体の４方に印字されている２の基準目盛0を先に記載した7の基準高さに合うように取付ける。
【０００９】
上記の取付方法は図３の断面図のように５のバカ棒が金属の場合は１の本体裏に接着された６の裏面磁石で取付ける。図４のように木材等で６の裏面磁石が利用できない場合は固定ゴムや養生テープにより固定する。
【００１０】
１の本体の正面には中央部の２の基準目盛より上下方向にメモリが判別しやすいようミリ単位のメモリとセンチ単位の少し長いメモリと10ｃｍ単位に長いメモリと、10ｃｍ単位に上方向に３のプラス目盛と下方向に４のマイナス目盛の数値が違うフォントか違う色で印字し２の基準目盛０から上下方向が数値にて認識できるようにした。
【考案の効果】
【００１１】
図５は地表面の高さを測量している状況で９の計測者が直接高低の数値を掌握できるため、10の補助者は測点にバカ棒を設置させるだけで十分である。
【００１２】
図６は地面に埋設された12の排水枡や管底（配管の底）を計測している状況で、計測者（検査官）が直接数値を掌握できるため、特に工事の完了検査時には有効である。
【図面の簡単な説明】
【００１３】
【図１】本考案である本体をバカ棒に取付けた正面図
【図２】本考案である本体をバカ棒に取付けた側面図と背面図
【図３】バカ棒が金属の場合の図１、図２のA−A断面図
【図４】バカ棒が木材の場合の図１、図２のA−A断面図
【図５】地表面の高さを測量している状況
【図６】排水枡や管低を計測している状況
【符号の説明】
【００１４】
１.本体    ２.基準目盛    ３.プラス目盛（数値）    ４.マイナス目盛（数値）
５.バカ棒  ６.裏面磁石（マグネット）    ７.レベル目線（基準点高）
８.レベル（測量機器）    ９.計測者      １０.補助者
１１.測量面    １２.排水枡等    １３.固定ゴム輪又は養生テープ等
【図１】
0003225225.tif 000003
【図２】
0003225225.tif 000004
【図３】
0003225225.tif 000005
【図４】
0003225225.tif 000006
【図５】
0003225225.tif 000007
【図６】
0003225225.tif 000008
【手続補正書】
【提出日】令和1年10月16日(2019.10.16)
【手続補正１】
【補正対象書類名】実用新案登録請求の範囲
【補正対象項目名】全文
【補正方法】変更
【補正の内容】
【実用新案登録請求の範囲】
【請求項１】
レベル測量等に使用するバカ棒に簡単に取り付けられるように表面にメモリを印字し裏面にマグネットを接着したロッド状スケール、又はマグネット板の表面にメモリを印字したロット状スケール。
【請求項２】
ロッド状スケールのメモリは長手方向の中央部に4方向に0のメモリを印字し、正面には中央部より上下方向にメモリが判別しやすいようミリ単位のメモリとセンチ単位の少し長いメモリ10ｃｍ単位に長いメモリと上下方向に違うフォントか違う色で印字したことを特徴とするロッド状スケール。
【手続補正書】
【提出日】令和1年12月13日(2019.12.13)
【手続補正１】
【補正対象書類名】実用新案登録請求の範囲
【補正対象項目名】全文
【補正方法】変更
【補正の内容】
【実用新案登録請求の範囲】
【請求項１】
レベル測量等に使用するバカ棒に簡単に取り付けられるように表面にメモリを印字し裏面にマグネットを接着したロッド状スケール、又はマグネット板の表面にメモリを印字したロッド状スケール。
【請求項２】
ロッド状スケールのメモリは長手方向の中央部に4方向に0のメモリを印字し、正面には中央部より上下方向にメモリが判別しやすいようミリ単位のメモリとセンチ単位の少し長いメモリと、10ｃｍ単位に長いメモリと上下方向に違うフォントか違う色で印字したことを特徴とするロッド状スケール。
(57)【要約】      （修正有）【課題】日常携行しているキーホルダーケースや小銭入れ等の小物収納ケースを提供する。【解決手段】レジ袋または収納袋を小物収納ケースと一体化しポケットに入ることおよび小物収納ケースに一体化したレジ袋または収納袋にケースサイズの型紙を装着することでポケットサイズに折りたたみやすいこと。【選択図】図１
0003225228.tif 000002
【実用新案登録請求の範囲】
【請求項１】
レジ袋または収納袋をポケットに入る小物収納ケースと一体化した点。
【請求項２】
小物収納ケースに一体化した収納袋にケースサイズの型紙を装着し正確にかつ容易に折りたためる様にした点。
【請求項３】
小物収納ケースと一体化した収納袋握り部に小物収納ケースを簡単に巻き付けるようにして握りやすくした点。
【考案の詳細な説明】
【技術分野】
【０００１】
日常携行しているキーホルダーケースや小銭入れ等の小物収納ケースに織りたたみ容易な収納袋を一体化しかつレジ袋としても持ち運びしやすいようにしたもの。
【背景技術】
【０００２】
地球環境対策としてレジ袋の有料化が義務付けられるがマイバックの携行は忘れがちである。特に男性はバックを携行しない人が多いので外出時携帯されるキーホルダーケースや小銭入れ等の小物収納ケースに簡単に折りたためる収納袋を一体化することで買い物時のマイバック携行忘れを防止することにより地球環境対策の解決に役立てる。
【先行技術文献】
【特許文献】
【０００３】
【特許文献１】特開2008-126049
【考案の概要】
【考案が解決しようとする課題】
【０００４】
コンビニやスーパーでの買い物時にマイバックの携行を忘れることが多い。
【課題を解決するための手段】
【０００５】
日常よく携行されるキーホルダーケースや小銭入れ等の小物収納ケースに収納袋をマイバッグとして一体化しケースサイズの型紙を収納袋に装着させ容易に収納サイズに折りたたむ事が出来、かつ収納袋開口部切り欠き穴握り部に小物収納ケースを巻き付ける事により荷の入った収納袋を握り易い携帯性の優れたものにする事でマイバックの携行忘れを防止する。
【考案の効果】
【０００６】
地球環境問題の対策の一つにプラスチックレジ袋の１００％有料化が義務付けられる。しかし従来のマイバッグは常時携行しずらく、また外出途中で買い物する場合は携行していないことが多くあり有料レジ袋を購入することになる。このため日常携行するキーホルダーケース等の小物収納ケースに収納袋をマイバッグとして利用することで地球環境問題の対策と併せレジ袋購入費用の削減になる。
【図面の簡単な説明】
【０００７】
【図１】本校案の外観図と収納状態と使用状態を示す立体図である。
【考案を実施するための形態】
【０００８】
キーホルダーケースや小銭りれの様に折りたたんだレジ袋をポケットに入れ携行しやすいものとする。
【符号の説明】
【０００９】
１．  レジ袋付小物収納ケース外観図
１a.   小物収納ケース本体
1b.  折りたたみレジ袋収納部
２．  レジ袋折りたたみ状況図
2a.  折りたたんだレジ袋
2b.  マジックテープ(商標登録）等
2c.  折りたたみレジ袋収納ケース本体ベロ部
３．  折りたたみレジ袋展開図
3a.  レジ袋本体
3b.  折りたたみ型紙挿入部
3c.  レジ袋握り部
3d.  レジ袋折りたたみ仮想線
【図１】
0003225228.tif 000003
【手続補正書】
【提出日】令和1年12月10日(2019.12.10)
【手続補正１】
【補正対象書類名】明細書
【補正対象項目名】０００８
【補正方法】変更
【補正の内容】
【０００８】
キーホルダーケースや小銭入れの様に折りたたんだレジ袋をポケットに
入れ携行しやすいものとする。
【手続補正２】
【補正対象書類名】実用新案登録請求の範囲
【補正対象項目名】全文
【補正方法】変更
【補正の内容】
【実用新案登録請求の範囲】
【請求項１】
レジ袋または収納袋を小物収納ケースと一体化しポケットに入ることを特徴とした小物収納ケース。
【請求項２】
小物収納ケースに一体化したレジ袋または収納袋にケースサイズの型紙を装着することでポケットサイズに折りたたみやすいことを特徴とする請求項１に記載のレジ袋付き小物収納ケース。
【請求項３】
小物収納ケースと一体化したレジ袋または収納袋の握り部に小物収納ケースを簡単に巻き付けるようにして握りやすくしたことを特徴とする請求項１に記載のレジ袋付き小物収納ケース。
(57)【要約】      （修正有）【課題】浴槽に設けた切欠部に装着するビニールシートによる水漏れを防ぐシャッターユニットを提供する。【解決手段】浴槽の切欠部を閉じ、シャッターユニットのシャッター板に柔軟なビニールシートを張り付け、受け部の溝に挿入した後に、柔軟なシートを固定枠に密着させ、これにより、柔軟なビニールシートは、お風呂の水の水圧によって押しつられ密着できる防水構造となる。【選択図】図７
0003225271.tif 000002
【実用新案登録請求の範囲】
【請求項１】
床面から上方に飛び出た側壁の一部分に切欠部が設けられた浴槽の前記切欠部から溢れ出るお湯を遮断するシャッターユニットであって、前記切欠部の内周縁に沿って前記側壁に固定される上辺解放の固定枠と、上下方向から前記固定枠に嵌めこまれて、前記固定枠の内周縁と嵌合するシャッター板と、
前記シャッター板と前記固定枠との境界を跨るように、前記浴槽の内側から覆って前記境界からの漏水を防止する柔軟なシートと、を備え、
前記シートの前記シャッター板に被さるシート部分は、前記シャッター板の前記境界で隣接する位置で固定され、前記固定された位置からはみ出て前記固定枠に被さるシート部分は、前記浴槽の水圧によって前記固定枠の周縁に密着して、前記境界からの漏水を防止する構造のシャッターユニット。
【請求項２】
前記シートが厚さ１ｍｍ以上の合成樹脂シートである、請求項１に記載シャッターユニット。
【請求項３】
前記固定枠の前記シートと接する面は、前記シートと密着可能な鏡面に形成されている
請求項1に記載のシャッターユニット。
【請求項４】
前記シートを水密に固定する前記シャッター板の取付け付近は、前記浴槽内に面する前記固定枠の前記シートを周縁と略同一平面上に形成されている請求項１に記載のシャッターユニット。
【考案の詳細な説明】
【技術分野】
【０００１】
本考案は浴槽に設けた切欠部に装着するシャッターユニットからの漏水を防止する構造に関する。
【背景技術】
【０００２】
下記特許文献1に記載された「浴槽」で繰り返しの漏水テストにおいて、浴槽が満水状態ならばシャッターユニットの隙間から微量の漏水が見られた。          
【先行技術文献】
【特許文献】
【０００３】
【特許文献１】特許第６３７５４９９号公報
【考案の概要】
【考案が解決しようとする課題】
【０００４】
本考案は、この漏水を簡単な構造のユニットでもって防止することを課題とする。
【課題を解決するための手段】
【０００５】
本考案は床面から上方に飛び出た側壁の一部分に切欠部が設けられた浴槽の前記切欠部から溢れ出るお湯を遮断するシャッターユニットであって、前記切欠部の内周縁に沿って前記側壁に固定される上辺解放の固定枠と、上下方向から前記固定枠に嵌めこまれて、前記固定枠の内周縁と嵌合するシャッター板と前記シャッター板と前記固定枠との境界を跨るように、前記浴槽の内側から覆って前記境界からの漏水を防止する柔軟なビニールシートと、を備え、前記シートの前記シャッター板に被さるシート部分は、前記シャッター板の前記境界の隣接する位置で固定され、前記固定された位置からはみ出て前記固定枠に被さるシート部分は、前記浴槽の水圧によって前記固定枠の周縁に密着して、前記境界からの漏水を防止する構造の、シャッターユニットである。
前記シートは厚さ1mm以上の合成樹脂シートであるのが好ましい。
また、前記固定枠の前記シートと接する面5は、前記シートと密着可能な鏡面に形成されていることを特徴とする。
また、前記シートを固定する前記シャッター板の取付け付近は、前記浴槽内に面する前記固定枠の前記シートを周縁と略同一平面上に形成されていることを特徴とする。
【考案の効果】
【０００６】
本考案によれば水漏れが起きやすいシャッター板と固定枠との境界を浴槽の内側から柔軟なビニールシートが水圧によって塞ぐので水漏れを完全に防ぐことができる。
【図面の簡単な説明】
【０００７】
【図１】シャッターユニットのシャッター板の斜視図である。
【図２】シャッター板からの水漏れを防止する柔軟なビニールシートである。
【図３】シャッター板に柔軟なシートを取り付けた状態の斜視図である。
【図４】シャッター板を溝に挿入する前のユニットの固定枠の斜視図である。
【図５】シャッターユニットの全体の外観斜視図である。
【図６】浴槽の切欠部にシャッターユニットを取り付ける前の状態である。
【図７】浴槽の切欠け部をシャッターユニットで閉塞した状態の浴槽の内部から見た外観斜視図      である。
【考案を実施するための形態】
【０００８】
以下、本考案の実施の形態を図１〜図７に基づいて説明する。
【０００９】
図１においては、本考案のシャッターユニット１のシャッター板２には取手３が取り付けてある。
図２においては、シャッターユニット１のシャッター板２に取り付ける水漏れを防止する樹脂シート４である。  
図３においては、シャッター板２に樹脂シート４を取り付けた状態で、シート４は押さえ枠１２とビス止め１３で密着し固定する。
図４は、浴槽の切欠部１５に取り付ける固定枠１０であって、上部が開放された残り３辺６が浴槽の切欠部１５に嵌めこまれて接合され解放された上部より、ビニールシート４付きシャッター板２を挿入する。
図５は、シャッターユニット１の外観斜視図であり、シャッター板２で固定枠１０を閉めてビニールシート４を固定枠１０内側の面５に密着させる前の状態である。
図６は、浴槽の切欠部１５を示し、その切欠部１５に固定枠１０を取付けて入浴者の出入口となる。
図7は、浴槽の内側から見た図で固定枠１０とシャッターユニット１を嵌めこんで完成された図である。
【符号の説明】
【００１０】
１    シャッターユニット  
２    シャッター板  
３    シャッター板の取手
４    柔軟なシート
５    浴槽内側の面
６    厚み調整用スペーサー
１０    固定枠
１２  シートの押さえ枠
１３  押さえ枠固定のビス
１４  シャッター板を固定し上下する溝
１５  浴槽の切欠け部
【図１】
0003225271.tif 000003
【図２】
0003225271.tif 000004
【図３】
0003225271.tif 000005
【図４】
0003225271.tif 000006
【図５】
0003225271.tif 000007
【図６】
0003225271.tif 000008
【図７】
0003225271.tif 000009
(57)【要約】      （修正有）【課題】ハーバリウムのオリジナリティの高い美観を、食卓などにおいても提供することができる各種のカトラリーを提供する。【解決手段】使用者が手に持って使う食器本体１３と、食器本体１３に設けられた収容部２１と、収容部２１に密封された植物及び保存用液体を備えたハーバリウム３１とを有することを特徴とするハーバリウムを備えたカトラリー。カトラリーとしては、箸、フォーク、ナイフ、スプーン、バターナイフを例示することができる。【選択図】図１
0003225275.tif 000002
【実用新案登録請求の範囲】
【請求項１】
使用者が手に持って使う食器本体と、前記食器本体に設けられた収容部と、前記収容部に密封された植物及び保存用液体を備えたハーバリウムとを有することを特徴とするハーバリウムを備えたカトラリー。
【請求項２】
前記食器本体は、箸、フォーク、ナイフ、スプーン及びバターナイフから選択された一種であり、食器本体の基部に前記収容部が配置されたことを特徴とする請求項１記載のハーバリウムを備えたカトラリー。
【考案の詳細な説明】
【技術分野】
【０００１】
本考案は、箸、フォーク、ナイフ、スプーン、バターナイフなどの食器に関するものである。
【背景技術】
【０００２】
従来、和洋の食器には特許文献１や２に示すように、様々な装飾が施されている。他方、ハーバリウムは、従来の押し花やドライフラワーやプリザーブドフラワーとは異なる独特な美感を奏するものではあるが、これに関しては、特許文献３や４に示すように、置物に関する提案がなされているに止まるものである。
【先行技術文献】
【特許文献】
【０００３】
【特許文献１】登録実用新案第３１８４６４２号公報
【特許文献２】実開昭６１−１９３６８号公報
【特許文献３】登録実用新案第３２１４６６４号公報
【特許文献４】登録実用新案第３２１５４６８号公報
【考案の概要】
【考案が解決しようとする課題】
【０００４】
本考案は、ハーバリウムの独特な美観を、食卓などにおいても提供することができる各種のカトラリーを提供することを課題とする。
【課題を解決するための手段】
【０００５】
本考案は、使用者が手に持って使う食器本体と、前記食器本体に設けられた収容部と、前記収容部に密封された植物及び保存用液体を備えたハーバリウムとを有することを特徴とするハーバリウムを備えたカトラリーを提供することにより上記の課題を解決する。
前記食器本体は、箸、フォーク、ナイフ、スプーン及びバターナイフから選択された一種であり、食器本体の基部に前記収容部が配置されたものとして実施することができる。
【考案の効果】
【０００６】
本考案は、ハーバリウムのオリジナリティの高い美観を、食卓などにおいても提供することができる各種のカトラリーを提供することができたものであり、これによって、食事やデザートやコーヒータイムなどの時間に潤いをもたらすことができるものである。
【図面の簡単な説明】
【０００７】
【図１】本考案の実施の形態に係るハーバリウムを備えたカトラリーの斜視図。
【図２】同ハーバリウムを備えたカトラリーの分解斜視図。
【図３】（Ａ）同ハーバリウムを備えたカトラリーの要部断面図。（Ｂ）本考案の他の実施の形態に係るハーバリウムを備えたカトラリーの要部断面図。
【図４】本考案のさらに他の実施の形態に係るハーバリウムを備えたカトラリーの要部断面図。
【考案を実施するための形態】
【０００８】
以下、図面を参照して本考案の実施の形態を説明する。
図１〜図３は、本考案の実施の形態に係るハーバリウムを備えたカトラリーを示すものであって、この実施の形態ではカトラリーとして箸１１が採用されている。この箸１１は、食器本体１３の基部に収容部２１を備えている。この収容部２１は、全体が透明部２３となった中空筒状をなしている。収容部２１の内部には、ハーバリウム３１が密閉状に収納されている。
【０００９】
図２に示すように、収容部２１は、その基端が開口しており、この開口端に対して蓋２２が液密状に一体化されている。この例では、図３（Ａ）に示すように、収容部２１の開口端を嵌合凹部２５として、蓋２２の先端に設けられた嵌合凸部２４が嵌合され、熱溶着や接着剤によって固定されている。
【００１０】
ハーバリウム３１は、乾燥状態の花などの植物３２が、シリコンオイル、流動性パラフィン、ミネラルオイルなどの透明性の高い保存用液体３３と共に収容部２１の内部に封入されているものである。植物３２は、保存用液体３３及び収容部２１の透明部２３を通して外部から視認して鑑賞することができるものであり、箸１１に今までにはない装飾性を付与することができるものである。なおこの例では透明部２３を透明な収容部２１の全体で構成しているが、収容部２１を不透明なものとしてその一部に透明部２３を設けても構わない。また、保存用液体３３や透明部２３に、微粒子や小片などの装飾体を混入させることもできる。
【００１１】
また、図３（Ｂ）に示すように、収容部２１を食器本体１３とは別体に形成して、両者を接合一体化して実施することもできる。これによって、食器本体１３を透明な合成樹脂製とする必要がなくなり、不透明な合成樹脂製や、木製とすることもできるし、漆などの装飾を施すことも可能となる。この例では、収容部２１の先端側に接続凸部２６を突出させ、食器本体１３の基端に接続凹部２７を設けて、接着剤や熱溶着などで接合一体化しているため、食器本体１３を不透明なものとした場合には、接続凸部２６が外部から見えなくなるため、装飾性の低下を抑制する点から有利である。
同様にこの例では、蓋２２との接合部分においても、収容部２１の基端に嵌合凸部２４を設けて、これを蓋２２の先端に環状に設けた嵌合凹部２５に嵌め入れて一体化していることによって、蓋２２を不透明なものとして、嵌合凹部２５が外部から見えなくしている。なお、金属管などで、これらの接合部分を隠すこともできる。
次に、図４は、カトラリーとしてスプーン１２を採用した例である。この例では、食器本体１３の柄の基端を接続凸部２６として、収容部２１の先端の接続凹部２７に挿入して一体化したものである。したがってこの例では収容部２１がスプーン１２の柄の一部となる。収容部２１やハーバリウム３１については、先の例で説明した内容を適用することができる。
【００１２】
カトラリーとしては、箸やスプーンの他、フォーク、ナイフ、バターナイフなどを明示することができる他、基端側を人が持って先端側で食べ物を挟んだり掬ったり切ったりするなどの操作をするための各種食器として実施することができる。
ハーバリウム３１は自然の花などの植物３２を用いるため、二つとして同じものがないオリジナリティの高いカトラリーを提供することができるものである。
【符号の説明】
【００１３】
１１    箸（カトラリー）
１２    スプーン（カトラリー）
１３    食器本体
２１    収容部
２２    蓋
２３    透明部
２４    嵌合凸部
２５    嵌合凹部
２６    接続凸部
２７    接続凹部
３１    ハーバリウム
３２    植物
３３    保存用液体
【図１】
0003225275.tif 000003
【図２】
0003225275.tif 000004
【図３】
0003225275.tif 000005
【図４】
0003225275.tif 000006
(57)【要約】【課題】柔軟性を大いに発揮し、かつ形状の保持も可能にした使用感が格段に良いビーズクッションを提供する。【解決手段】クッション内部を十字の膜によって気切り、膜の中心には穴を開け、使用者の体型や動きに合わせて内部のビーズが動くようにした。また、クッションの外皮にはファスナーを備えて後からビーズを補充したり減らすという調整がで来るようにした。【選択図】図１
0003225288.tif 000002
【実用新案登録請求の範囲】
【請求項１】
伸縮性のある布から成る外皮と、充填材の封入口を備え、内部を充填材で満たした球状、涙滴型、立方状または略L字状の形を成すビーズクッション。
【請求項２】
外皮には内部を4つに区切る同素材による膜を備えた請求項１に記載のクッション。
【請求項３】
膜はクッション内部を十字に分割し、中心に区切られた空間同士を行き来する為の通路を備えた請求項１に記載のクッション。
【請求項４】
外皮表面の充填口はファスナーを備え、充填材を任意の量に調整可能なクッション。
【考案の詳細な説明】
【技術分野】
【０００１】
本考案は身体の動きに合わせて形状を変化させ、高い柔軟性を持ちながらも型崩れのしにくいクッションに関するものである。
【０００２】
従来のビーズクッションは内部に仕切りやフレームが無い状態で、ただ内部が充填材で満たされているのみであった。
【０００３】
その為、座った際に力のかかる部分の充填材が極端に別の場所に流れていってしまい、型崩れが起きる為最も重要な点であるクッションの持つ柔軟性が十分に生かされていなかった。
【０００４】
また、クッションの外皮は密閉されており、開閉は不可能であった。
【０００５】
その為、充填材が使用により圧縮されてしまった場合、補充や交換ができず新品を用意する必要があった。
柔らかさに関しても、既にある物の中から好みのものを選ぶのみで、自らで微調整をするという事は不可能だった。
【考案の概要】
【考案が解決しようとする課題】
【０００６】
本考案は以上のような問題を鑑み、柔らかさと形状保持が両立した長期間に於いての使用が可能なクッションの提供を目的とする。
【０００７】
本考案は前述の点を解決する為に従来のクッションに内部を十字に区切る膜を備え、内部を４つの空間に区切った。また、十字状の膜の中心部には穴を開け、ビーズが空間同士を行き来する為の通路とした。
【０００８】
クッションの外皮にはファスナーを備えて内部を開閉式にし、各自充填材の量を調整したり、経年劣化した充填材を捨てて新しいものを充填するというような事ができるようにした。
【考案の効果】
【０００９】
本考案のクッションは内部が膜によって区切られており、充填材の流動に制限がかかる。そのため、腰かけた際に一部のみ極端に充填材が他所へ流れていくことが無い。そのため、どのような座り方をしても安定した使用感を得る事ができる。
【００１０】
空間同士を行き来する為の通路はクッションの中心部にあるため、移動が滞ることも無い。その為、身体の動きに合わせて充填材がスムーズに動き、どのような態勢にも合わせることができる。
【００１１】
ファスナーを開けて、充填材を補充することができる為、柔らかさも任意で調節することができる。より柔らかくしたいのであれば、充填材の量を減らして流動性を上げ、硬めが好きなのであれば、量を増やして密度を上げる。このように個々の好みや気分に合わせての調整ができるため、好みの柔らかさのものを探して何種類もクッションを吟味する必要がなくなる。
【００１２】
中の充填材が使用の為に圧縮されてきた時はさらに追加したり、古くなったものを一部無いし全て捨てて新たに入れ直すことも可能である。
【００１３】
このように、クッションが本来持つ、柔軟性を大いに発揮し、かつ形状の保持も両立した長期使用が可能なクッションの実現を可能にした。
【図面の簡単な説明】
【００１４】
【図１】本考案の略図である。
【考案を実施するための形態】
【００１５】
本考案のクッションは伸縮性のある外皮と内部を仕切る膜と封入口から成る。封入口はファスナーもしくはボタンによって開閉できる。内部には充填材が満たされている。形状は球状、涙滴型、立方体、もしくは略L字状を取る。
【００１６】
膜は内部を均等に４つに仕切り、膜と膜が交差する中心部には穴が開いており、それぞれの区切られた空間を充填材が自由に行き来できるようになっている。また、仕切りは４つと表記したが、仕切りを増やして８分割、１６分割等としても良い。
【００１７】
充填材は球状の発砲素材のビーズや綿、そば殻等自然素材を粉砕したものを用いる。
【００１８】
充填材が満たされた状態でクッションに腰かけると、生じる圧力に応じて区切られた空間内を充填材が自由に移動する。
その為、体制や体型に合わせて形状が変わる為、柔軟性が高く包み込むような座り心地を感じることができる。
【００１９】
使用によって充填材が劣化した場合は封入口から追加、または古い物を捨てて取り換えることができる。
【図１】
0003225288.tif 000003
【手続補正書】
【提出日】令和1年12月20日(2019.12.20)
【手続補正１】
【補正対象書類名】実用新案登録請求の範囲
【補正対象項目名】全文
【補正方法】変更
【補正の内容】
【実用新案登録請求の範囲】
【請求項１】
伸縮性のある布から成る外皮と、充填材の封入口を備え、内部を充填材で満たした球状、涙滴型、立方状または略L字状の形を成すビーズクッション。
【請求項２】
外皮には内部を４つに区切る同素材による膜を備えた請求項１に記載のクッション。
【請求項３】
膜は外皮の内側に縫い付けられており、クッションの内部を十字に分割し、中心に区切られた空間同士を行き来する為の通路を備えた請求項１に記載のクッション。
【請求項４】
外皮表面の充填口はファスナーを備え、そのファスナーによってクッションの内部を開閉式にすることによって充填材を任意の量に調整可能な請求項１に記載のクッション。
(57)【要約】      （修正有）【課題】ルテイン入り目薬を提供する。【解決手段】点眼薬にルテインを添加した、所定の容器に収納されたもの。【選択図】図１
0003225243.tif 000002
【実用新案登録請求の範囲】
【請求項１】
目薬の点眼薬にルティンを添加する。
【考案の詳細な説明】
【技術分野】
【０００１】目薬は、目の機能を高め、目の健康を維持する薬品として認知されている。本考案は、目薬に関するものである。
【背景技術】
【０００２】従来、目の機能を高めたり、目の疲労を軽減したり、目の健康を維持する成分として、ルティンという成分が認知され、経口サプリメントとして広まっている。
【考案の概要】
【考案が解決しようとする課題】
【０００３】経口サプリメントでは、ルティンが体に一旦吸収されてから、目のところに行く。目に届くまでに、時間が掛かる上、他の関係ないところにも分散される。
【課題を解決する手段】
【０００４】目薬の点眼薬にルティンの成分を混ぜて、直接目のところに行くようにする。
【考案の効果】
【０００５】目薬の点眼薬にルティンの成分を混ぜているので、さす度にピンポイントで目にルティンが供給される。他の場所に分散されず、無駄がない。
【図面の簡単な説明】
【０００６】
【図１】目薬の点眼薬にルティンの成分が含まれているイメージ図
【考案を実施するための形態】
【０００７】目薬の点眼薬にルティンの成分を溶けこませる。
【実施例】
【０００８】以下添付図に従って、一実施例を説明する。［図１］の１は目薬の大部分を占める溶媒であり、２はその溶媒に溶け込んでいるルティンのイメージ図である。
【符号の説明】
【０００９】１目薬の点眼薬の溶媒
２溶け込んだルティンのイメージ図
３ガラス容器
【図１】
0003225243.tif 000003
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
点眼薬にルテインを添加した、所定の容器に収納されたルテイン入り目薬。